(57)【要約】  【課題】錠本体に対する動作変換機構の組付作業を手探りでも簡単且つ確実に行うことができる施錠装置を提供する。  【解決手段】錠本体１の作動子１１の奥方端部（後端部）に、クランク軸３の挿入部３１をスリット１１Ｓに挿入する際にその挿入部３１をスリット１１Ｓに案内するガイド部１１Ｇを設けた。【選択図】図４
2006233549.tif 000002
【特許請求の範囲】
【請求項１】
施開錠時に作動する作動子を筐体の奥方に向けて設けた錠本体と、
前記作動子より奥方に離間した位置に配され前記作動子の回転に連動して移動することにより施開錠に寄与し得る施錠体と、
前記錠本体の作動子の奥方端部に設けた被挿入部に一端部を挿入した状態で錠本体と前記施錠体との間に配され且つ前記作動子の回転動作を前記施錠体の施開錠動作に変換する動作変換機構とを備えた施錠装置において、
前記作動子の奥方端部に、前記動作変換機構の一端部を前記被挿入部に挿入する際にその一端部を前記被挿入部に案内するガイド部を設けていることを特徴とする施錠装置。
【請求項２】
前記ガイド部が、前記動作変換機構の一端部を前記被挿入部に挿入する際にその一端部を載置した状態でスライド移動可能に支持する第１ガイド部と、当該第１ガイド部に沿って前記動作変換機構の一端部を前記被挿入部に挿入可能な挿入可能位置にスライド移動させた際にその一端部と当接しそれ以上のスライド動作を規制する第２ガイド部とを備えている請求項１記載の施錠装置。
【請求項３】
前記被挿入部及び前記動作変換機構の一端部が断面視略矩形状をなし、前記第１ガイド部が、前記被挿入部より後方に突出し且つ前記被挿入部の開口縁の下縁と略面一な上向面であり、前記第２ガイド部が、前記被挿入部より後方に突出し且つ前記被挿入部の開口縁の一方の側縁と略面一な起立面である請求項２記載の施錠装置。
【請求項４】
前記第１ガイド部と前記第２ガイド部とを連続して設けている請求項２又は３記載の施錠装置。
【請求項５】
前記第１ガイド部及び前記第２ガイド部を、これら第１ガイド部と第２ガイド部との接続部位からそれぞれ前記作動子の外縁部に亘る領域に設けている請求項４記載の施錠装置。
【請求項６】
前記ガイド部を前記作動子と共に一体に設けている請求項１、２、３、４又は５記載の施錠装置。
【発明の詳細な説明】
【技術分野】
【０００１】
本発明は、袖部やワゴン等の収納家具等に適用可能な施錠装置に関するものである。
【背景技術】
【０００２】
従来より、机に固設された袖部や、ワゴン等の収納家具においては、貴重品の保管や、移動時における便宜のために施錠装置を設けているのが通例である。従来の施錠装置は、施開錠時に作動する作動子を筐体の奥方に向けて配した錠本体を筐体の前端部に設ける一方、筐体に収容可能な抽斗を選択的に拘留し得る施錠レバーを錠本体より奥方に設け、錠本体と施錠レバーとの間に設けたクランク軸やリンク機構等の動作変換機構により、錠本体の作動子の回転動作を施錠レバーの施開錠動作に変換するようにしたものが知られている（例えば特許文献１参照）。
【０００３】
そして、このような施錠装置において、動作変換機構の一端部を作動子に取り付けるには、動作変換機構の一端部を、錠本体の作動子の後端部に形成したスリットに挿入することにより行うのが通例である。
【特許文献１】特開平６−１２９１５０号公報
【発明の開示】
【発明が解決しようとする課題】
【０００４】
しかしながら、従来のものは、作動子の後端部に、動作変換機構の一端部の断面形状に略対応するスリットのみを形成しているため、組立作業時において、筐体の前方側に位置する作業者は、組立ライン上でスリットの位置を視認することができず、また、動作変換機構の一端部をスリットに挿入する際の目標となるべきものが何も存在しないため、作動子の奥方（後方）から動作変換機構の一端部をスリットに挿入する作業が極めて困難であり、作業に熟練を要し、動作変換機構を錠本体に取り付ける作業に無用な時間を費やし、タクトが遅れるという不具合が生じる。一方、作業者が筐体の前方側からスリットを覗き込むように前屈み姿勢を取ればスリットの位置を視認することが可能であるものの、このような前屈み姿勢での長時間の組立作業は不要な労力が必要となり、やはり作業効率が悪いという問題が生じる。
【０００５】
このように、従来の施錠装置は、動作変換機構の一端部を作動子のスリットへの取り付ける作業が困難であり、これが施錠装置、ひいては収納家具の組立作業の効率化を低下させる要因となっている。
【０００６】
本発明は、このような課題に着目してなされたものであって、主たる目的は、錠本体に対する動作変換機構の組付作業を手探りでも簡単且つ確実に行うことができる施錠装置を提供することにある。
【課題を解決するための手段】
【０００７】
すなわち、本発明の施錠装置は、施開錠時に作動する作動子を筐体の奥方に向けて設けた錠本体と、前記作動子より奥方に離間した位置に配され前記作動子の回転に連動して移動することにより施開錠に寄与し得る施錠体と、前記錠本体の作動子の奥方端部に設けた被挿入部に一端部を挿入した状態で錠本体と前記施錠体との間に配され且つ前記作動子の回転動作を前記施錠体の施開錠動作に変換する動作変換機構とを備えた施錠装置において、前記作動子の奥方端部に、前記動作変換機構の一端部を前記被挿入部に挿入する際にその一端部を前記被挿入部に案内するガイド部を設けていることを特徴とする。
【０００８】
ここで、「作動子の奥方端部」とは、作動子の奥方側の端部、すなわち作動子の後端部を意味する。
【０００９】
このようなものであれば、動作変換機構の一端部をガイド部に案内させることにより、筐体の前方側から視認できない作動子の被挿入部へ動作変換機構の一端部を挿入する作業を手探りでもスムーズ且つ簡単に挿入することができる。しかも、動作変換機構の被挿入部への取付作業を前屈み姿勢等の無理な姿勢で行う必要もなく、錠本体に対する動作変換機構の組付作業を極めて効率良く行うことができ、組立タクトが遅れるという従来の不具合を解消することができる。
【００１０】
特に、前記ガイド部が、前記動作変換機構の一端部を前記被挿入部に挿入する際にその一端部を載置した状態でスライド移動可能に支持する第１ガイド部と、この第１ガイド部に沿って前記動作変換機構の一端部を前記被挿入部に挿入可能な挿入可能位置にスライド移動させた際にその一端部と当接しそれ以上のスライド動作を規制する第２ガイド部とを備えたものであれば、動作変換機構の一端部を、第１ガイド部に載置して第２ガイド部に当たるまで被挿入部に近付ける方向にスライド移動させるという簡単な操作を行うことにより、動作変換機構の一端部を挿入可能位置に確実に位置付けることができ、作業の簡便性を格段に向上させることができる。
【００１１】
簡素な構造でありながらガイド部としての機能を十分に発揮する具体的な実施態様としては、前記被挿入部及び前記動作変換機構の一端部が断面視略矩形状をなし、前記第１ガイド部が、前記被挿入部より後方に突出し且つ前記被挿入部の開口縁の下縁と略面一な上向面であり、前記第２ガイド部が、前記被挿入部より後方に突出し且つ前記被挿入部の開口縁の一方の側縁と略面一な起立面であるものが挙げられる。
【００１２】
また、第１ガイド部を利用してスライド移動させた動作変換機構の一端部を第２ガイド部に確実に当接させるには、前記第１ガイド部と前記第２ガイド部とを連続して設けていることが好ましい。
【００１３】
さらに、前記第１ガイド部及び前記第２ガイド部を、これら第１ガイド部と第２ガイド部との接続部位からそれぞれ前記作動子の外縁部に亘る領域に設ければ、第１ガイド部及び第２ガイド部の延伸寸法を有効に稼ぐことが可能となり、作動子の後端部側において手探りの状態であってもガイド部の位置を容易に把握することができる。
【００１４】
加えて、前記ガイド部を前記作動子と共に一体に設けることにより、ガイド部を作動子と別体に設ける態様と比較して、部品点数の削減及び構造の簡素化に資する。
【発明の効果】
【００１５】
以上説明したように本発明によれば、作動子の後端部に設けた被挿入部に動作変換機構の一端部を全くのガイドなしに手探りで挿入しなければならない従来のものと比べて、ガイド部を利用することにより手探りであっても動作変換機構の一端部を被挿入部へ簡単且つ確実に挿入することができ、作業に熟練を要することなく、また、前屈み姿勢等の無理な姿勢で行う必要もなく、錠本体に対する動作変換機構の組付作業を極めて効率良く行うことができる。
【発明を実施するための最良の形態】
【００１６】
以下、本発明の一実施形態を、図面を参照して説明する。
【００１７】
本実施形態に係る施錠装置Ｌは、図１に示すように机Ｄに固設された袖部Ｗ等の収納家具に適用されるものである。
【００１８】
この袖部Ｗは、筐体Ｋ内に一段又は複数段の抽斗Ｈを収容した周知のものである。
【００１９】
先ず、この袖部Ｗについて簡単に説明する。
【００２０】
筐体Ｋは、図１及び図２等に示すように、左右の側板Ｋ１を、背板Ｋ２、底板Ｋ３及び上部横架材Ｋ４により連結してなり、抽斗Ｈを収容する内部空間を前方に連通させている。側板Ｋ１は、前端部に内方に突出する突出部Ｋ１１を折曲加工等により一体に設け、この突出部Ｋ１１の後方に、突出部Ｋ１１と連続するように前補強部Ｋ１２を溶接等により一体的に設けている。これら突出部Ｋ１１及び前補強部Ｋ１２は、その内部に高さ方向に延伸する空間領域を有し、この空間領域を利用して後述する錠本体を直接的又は間接的に支持する支持部材Ｋ１３を設けている。また、側板Ｋ１の内面部における奥行き方向中央部及び後端部に、それぞれ平面視略クランク状に折曲加工し内方に突出する中補強部Ｋ１４、後補強部Ｋ１５を溶接等により一体的に設けている。前補強部Ｋ１２、中補強部Ｋ１４及び後補強部Ｋ１５の内方への突出寸法は同一であり、これら前補強部Ｋ１２、中補強部Ｋ１４及び後補強部Ｋ１５を跨ぐ位置にレールＫ５（サスペンションレールであってもよい）を抽斗Ｈの個数に対応させて筐体Ｋの高さ法に沿って一又は複数設け、このレールＫ５によりに抽斗Ｈをスライド可能に支持している。なお、この筐体Ｋの上面に、例えば合成樹脂製の天板Ｋ６を取付可能に設定している。
【００２１】
抽斗Ｈは、図３に示すように、上方に開口する収納空間を形成する収容体Ｈ１の前端部に鏡板Ｈ２を組み付けた周知のものである。収容体Ｈ１の外側面部には、奥行き方向に伸長する突条Ｈ１１を設けており、この突条Ｈ１１を筐体Ｋに設けたレールＫ５にスライド可能に支持させている。本実施形態では各突条Ｈ１１を収容体Ｈ１の後縁部よりもさらに後方に伸長し、この突条Ｈ１１の後端部に、他の部位より上方に突出し且つ後述する施錠体たる施錠レバー２のロック爪２２が当接し得る当接部Ｈ１１ａを形成している。
【００２２】
このような構成を有する袖部Ｗに適用される施錠装置Ｌは、図４等に示すように、筐体Ｋの一方の側板Ｋ１の前端部に配され且つ施開錠時に作動する作動子１１を設けた錠本体１と、作動子１１より奥方に離間した位置に配され作動子１１の回転に連動して移動することにより施開錠に寄与し得る施錠体たる施錠レバー２と、錠本体１の作動子１１の奥方端部（後端部）に設けた被挿入部たるスリット１１Ｓに一端部を挿入した状態で錠本体１と施錠レバー２との間に配され且つ作動子１１の回転動作を施錠レバー２の施開錠動作に変換する動作変換機構たるクランク軸３とを備えたものである。
【００２３】
錠本体１は、概略角筒状のケース１２と、このケース１２に回動可能に収容されている作動子１１とを備えてなり、筐体Ｋの側板Ｋ１の前端部に設けた前記支持部材Ｋ１３を利用して筐体Ｋに取り付けたものである。この取付状態において、作動子１１の前端部に形成した鍵挿入孔１１ａを筐体Ｋの側板Ｋ１の前端部側に表出させるとともに、作動子１１の後端部に設けたスリット１１Ｓを筐体Ｋの奥方（後方）に向かって開口させている。本実施形態におけるスリット１１Ｓは、断面視略矩形状をなしクランク軸３の一端部を収容し得る奥行寸法を有するものである。そして、鍵挿入孔１１ａに鍵４を挿入して所定方向に回転する施錠操作を行うことにより、作動子１１が鍵４の回転方向と同一方向に回転するようにしている。なお、作動子１１の外周縁部に、ケース１２に設けた図示しない当たり部に当接することにより作動子１１のそれ以上の回動動作を規制し得る規制部１１ｂを設けている点は周知のものと同様である。
【００２４】
しかして、この作動子１１の後端部に、図４及び図５（図５（ａ）は図４の一部を拡大して示す図であり、同図（ｂ）、（ｃ）はそれぞれ同図（ａ）におけるＡ矢視図、Ｂ矢視図である）等に示すように、クランク軸３の一端部をスリット１１Ｓに挿入可能な位置（以下、「挿入可能位置」とする）まで案内し得るガイド部１１Ｇを設けている。ガイド部１１Ｇは、クランク軸３の一端部をスリット１１Ｓに挿入する際にその一端部を載置した状態でスライド移動可能に支持する第１ガイド部１１Ｇａと、この第１ガイド部１１Ｇａに沿ってクランク軸３の一端部を前記挿入可能位置にスライド移動させた際にその一端部と当接しそれ以上のスライド動作を規制する第２ガイド部１１Ｇｂとを備えたものである。第１ガイド部１１Ｇａは、スリット１１Ｓより後方に突出し且つスリット１１Ｓの開口縁のうち下縁１１Ｓａと略面一な上向面である。一方、第２ガイド部１１Ｇｂは、スリット１１Ｓより後方に突出し且つスリット１１Ｓの開口縁のうち一方の側縁１１Ｓｂと略面一な起立面である。本実施形態では、この第２ガイド部１１Ｇｂを、スリット１１Ｓの開口縁のうち筐体Ｋの外方側に位置する側縁１１Ｓｂと略面一な起立面としている。このような第１ガイド部１１Ｇａ及び第２ガイド部１１Ｇｂを有してなるガイド部１１Ｇは、各ガイド部１１Ｇ（第１ガイド部１１Ｇａ及び第２ガイド部１１Ｇｂ）の一端部同士を相互に連続させ、且つ各他端部３２をそれぞれ作動子１１の外周縁部まで延出させたものであり、背面視略Ｌ字状をなす。また、本実施形態におけるガイド部１１Ｇは、これら第１ガイド部１１Ｇａ及び第２ガイド部１１Ｇｂを作動子１１と共に同一素材を用いて一体成形している。
【００２５】
クランク軸３は、図４等に示すように、概略棒状をなし、一端部に前記スリット１１Ｓに挿入可能な断面視略矩形状の挿入部３１を設けるとともに、他端部３２側にクランク部３３を設けたものであり、このクランク部３３を前記筐体Ｋの後補強部Ｋ１５に形成した図示しない貫通孔に挿通し、且つ他端部３２を次に説明する施錠レバー２の前向面２１に形成した長孔２１ａに挿入させている。なお、図２等に示す符号Ｂは、施開錠時にクランク軸３と共に回動して上端部又は下端部が側板Ｋ１に当接又は近接することによりクランク軸３と側板Ｋ１との離間距離を適当な距離に維持するとともに、クランク軸３の不意な回動を抑制する線状部材である。
【００２６】
施錠レバー２は、筐体Ｋの後補強部Ｋ１５の後方に配される上下に長尺な帯板状のものであり、上端部における前縁部に筐体Ｋの外側方に向かって折り曲げてなる前向面２１を設けるとともに、後縁部に筐体Ｋの内側方に向かって折り曲げてなるロック爪２２を高さ方向に沿って所定間隔離間して設けている。前向面２１には、クランク軸３の前記他端部３２が挿入可能な長孔２１ａを形成している。そして、クランク軸３の回転動作時にクランク軸３の他端部３２がクランク部３３を介して曲線的な軌跡を描きながら長孔２１ａ内で移動することによって、この施錠レバー２を上下移動し得るように設定している。具体的には、施錠レバー２の各ロック爪２２がそれぞれ各抽斗Ｈの突条Ｈ１１に形成した前記当接部Ｈ１１ａに当接し抽斗Ｈのスライド移動を規制するロック位置と、各ロック爪２２がそれぞれ対応する各抽斗Ｈの前記当接部Ｈ１１ａに干渉せず抽斗Ｈのスライド移動を許容するロック解除位置との間で施錠レバー２を上下移動するように設定している。
【００２７】
以上のような各部から構成される施錠装置Ｌは、錠本体１の鍵挿入孔１１ａに挿入した鍵４を所定方向に回転させる施錠操作を行うことより、作動子１１が回動し、クランク軸３によって作動子１１の回動を施錠レバー２の上下移動に変換し、施錠レバー２を前記ロック位置又は前記ロック解除位置に位置付けることにより、抽斗Ｈのスライド移動を規制又は許容し得るものである。
【００２８】
次に、組立ラインにおいて施錠装置Ｌを筐体Ｋに組み付ける手順、特に錠本体１の作動子１１にクランク軸３を取り付ける手順及び作用について図６及び図７を参照して説明する。
【００２９】
所定の工程により、施錠レバー２を筐体Ｋの後補強部Ｋ１５の後方における側板Ｋ１とレールＫ５との間に配設するとともに、クランク軸３の他端部３２を、後補強部Ｋ１５の貫通孔及び施錠レバー２の前向面２１に形成した長孔２１ａに挿入した後、図６に示すように、組立ラインにおいて筐体Ｋの前方側に位置する作業者が、クランク軸３の挿入部３１を作動子１１のスリット１１Ｓに挿入するには、先ず、作動子１１の後端側において、クランク軸３の挿入部３１をガイド部１１Ｇの第１ガイド部１１Ｇａに載せ置き、引き続きクランク軸３の挿入部３１を第１ガイド部１１Ｇａに沿って筐体Ｋの外方に向かってスライド移動させる（図７（ａ）参照）。そして、クランク軸３の挿入部３１が前記挿入可能位置に位置付けられた時点で挿入部３１が第２ガイド部１１Ｇｂに当接し、クランク軸３のそれ以上のスライド移動が規制される（同図（ｂ）参照）。この状態において、クランク軸３の挿入部３１とスリット１１Ｓが筐体Ｋの奥行き方向に沿って略一致しており、最後に挿入部３１をスリット１１Ｓに挿入し、挿入部３１をスリット１１Ｓに緊密に嵌合させる。以上の手順によりクランク軸３を作動子１１に取り付けることができる。
【００３０】
このように、本実施形態に係る施錠装置Ｌは、作動子１１の奥方端部（後端部）に、クランク軸３の一端部に設けた挿入部３１をスリット１１Ｓに案内するガイド部１１Ｇを設けているため、作動子１１の奥方（後方）からスリット１１Ｓにクランク軸３の挿入部３１を挿入する際に、このガイド部１１Ｇを利用することにより、筐体Ｋの前方側から視認できないスリット１１Ｓへクランク軸３の挿入部３１を挿入する作業を手探りでもスムーズ且つ簡単に挿入することができ、クランクの作動子１１への組付作業に熟練を要することなく、また、前屈み姿勢等の無理な姿勢を取る必要もないため、従来のものと比較して作業効率を格段に向上させることができる。
【００３１】
しかも、ガイド部１１Ｇが、クランク軸３の挿入部３１をスリット１１Ｓに挿入する際にその一端部を載置した状態でスライド移動可能に支持する第１ガイド部１１Ｇａと、第１ガイド部１１Ｇａに沿って前記クランク軸３の一端部をスリット１１Ｓに挿入可能な挿入可能位置にスライド移動させた際に挿入部３１と当接しそれ以上のスライド動作を規制する第２ガイド部１１Ｇｂとを備えているため、クランク軸３の一端部を第１ガイド部１１Ｇａに載置して、第２ガイド部１１Ｇｂに当たる位置までずらす（スライド移動させる）という単純な作業で挿入部３１を挿入可能位置に位置付けることができ、クランク軸３の一端部を挿入部３１に確実に挿入することができ、実用性に優れたものとなる。
【００３２】
加えて、第１ガイド部１１Ｇａと第２ガイド部１１Ｇｂの基端部同士を連続させているため、より確実且つよりスムーズに挿入部３１を挿入可能位置に位置付けることができ、挿入作業の簡便性を有効に向上させる。
【００３３】
また、第１ガイド部１１Ｇａ及び第２ガイド部１１Ｇｂを、これら第１ガイド部１１Ｇａと第２ガイド部１１Ｇｂとの接続部位からそれぞれ作動子１１の外周縁部に亘る領域に設けているため、これら第１ガイド部１１Ｇａ及び第２ガイド部１１Ｇｂの設定面積を大きく確保することができ、その結果、作動子１１の後端部側において手探りの状態であってもクランク軸３の挿入部３１を第１ガイド部１１Ｇａ又は第２ガイド部１１Ｇｂに的確に当接させることができ、第１ガイド部１１Ｇａ又は第２ガイド部１１Ｇｂを介してクランク軸３の挿入部３１を挿入可能位置へよりスムーズに案内することができる。
【００３４】
さらに、第１ガイド部１１Ｇａ及び第２ガイド部１１Ｇｂを作動子１１と共に一体に設けているため、部品点数の削減及び製作工程、取付作業の簡便化を有効に図ることができる。
【００３５】
なお、本発明は、以上に詳述した実施形態に限られるものではない。
【００３６】
ガイド部は、動作変換機構（上記実施形態におけるクランク軸）の一端部を被挿入部（同スリット）に案内するものであればよく、例えば、被挿入部の開口縁のうち所定の縁に沿って後方に突出させた一又は複数の突出部から構成したものや、或いは内部に被挿入部に連通するガイド空間を有する中空体状（筒状）のもの等、その形状や構造は特に限定されない。また、ガイド部を作動子とは別体に設けても構わない。
【００３７】
また、ガイド部が、前記実施形態における第１ガイド部に代えて又は加えて、被挿入部の開口縁の上縁と略面一な下向面を有するものとしてもよい。他方、前記実施形態における第２ガイド部に代えて又は加えて被挿入部の開口縁の他方の側縁と略面一な起立面を有するものとしてもよい。
【００３８】
さらには、第１ガイド部又は第２ガイド部の何れか一方のみから構成してもよい。この場合、動作変換機構の一端部を第１ガイド部又は第２ガイド部の何れか一方に当接させた状態でスライド移動させる際に、動作変換機構の一端部を作動子側へ押圧する操作力を付与し続けることにより、所定の挿入可能位置までスライド移動させた動作変換機構の一端部を被挿入部に挿入することができる。
【００３９】
また、被挿入部の断面視形状を適宜設計変更してもよく、その場合、動作変換機構の一端部の断面視形状を被挿入に対応させればよい。
【００４０】
また、作動子として、施開錠時にいわゆるテンキー操作或いはスイッチのＯＮ／ＯＦＦ操作等による電気的な信号を受けた場合に作動するタイプの作動子を採用しても構わない。
【００４１】
また、動作変換機構として、リンクアームを用いたリンク機構や連結バー等、既知の構造を有するものを採用しても構わない。一方、施錠体として、作動子の作動に連動して上下移動することにより施開錠に寄与するタイプの他、作動子に連動して回動することにより施開錠に寄与するタイプを採用しても勿論構わない。
【００４２】
動作変換機構の一端部を作動子の後端部に取り付ける態様として、動作変換機構の一端部に係合爪を設け、作動子の後端部に被挿入部として係合爪が係合可能な係合孔を形成し、係合爪を係合孔に挿入した際に係合爪が係合孔に係合するようにすれば良好な取付状態を確保することができる。
【００４３】
また、本発明に係る施錠装置を、袖部の他、ワゴンや各種ロッカー等の収納家具に適用してもよい。
【００４４】
その他、各部の具体的構成についても上記実施形態に限られるものではなく、本発明の趣旨を逸脱しない範囲で種々変形が可能である。
【図面の簡単な説明】
【００４５】
【図１】本発明の一実施形態に係る施錠装置を適用した袖部を有する机の全体斜視図。
【図２】同実施形態における筐体を一部省略して模式的に示す図。
【図３】同実施形態における抽斗を一部省略して模式的に示す図。
【図４】同実施形態に係る施錠装置を一部省略して示す分解斜視図。
【図５】同実施形態に係る作動子を示す図。
【図６】同実施形態に係る施錠装置の組付作業を模式的に示す図。
【図７】作用説明図。
【符号の説明】
【００４６】
１…錠本体
１１…作動子
１１Ｇ…ガイド部
１１Ｇａ…第１ガイド部
１１Ｇｂ…第２ガイド部
１１Ｓ…被挿入部（スリット）
１１Ｓａ…下縁
１１Ｓｂ…側縁
２…施錠体（施錠レバー）
３…動作変換機構（クランク軸）
３１…一端部（挿入部）
Ｋ…筐体
Ｌ…施錠装置
【図１】
2006233549.tif 000003
【図２】
2006233549.tif 000004
【図３】
2006233549.tif 000005
【図４】
2006233549.tif 000006
【図５】
2006233549.tif 000007
【図６】
2006233549.tif 000008
【図７】
2006233549.tif 000009